(57)【要約】【課題】凸条の幅を狭くして、スプリング線の出力端子部を携帯機器の電源端子に好ましい状態で接触させる。【解決手段】充電台は、ケース１の凸条１０に一対のスプリング線３を備え、リンク機構４がスプリング線３の出力端子部３ａをケース１の内部から突出させる。一対のスプリング線３は、第１アーム３Ａを装着部２の底面２Ａと平行な面内で回動させて、出力端子部３ａを突出させる。リンク機構４は、出力端子部３ａを装着部２に突出させる往復運動体５と、装着部２に突出する突出部６Ａを有する検出体６と、検出体６を装着部２に突出させる弾性体７とを備える。充電台は、携帯機器３０がセットされない状態では、弾性体７が出力端子部３ａを凸条１０内に配置して、検出体６の突出部６Ａを装着部２に突出させ、携帯機器３０がセットされると、検出体６の突出部６Ａがケース１内に押し込まれて、往復運動体５が出力端子部３ａを装着部２に突出させる。【選択図】図１０
2010011634.tif 000002
【特許請求の範囲】
【請求項１】
携帯機器(30)を脱着自在にセットする装着部(2)を有するケース(1)と、このケース(1)の装着部(2)にセットされる携帯機器(30)の電源端子(31)に接触される出力端子部(3a)を有する一対のスプリング線(3)と、装着部(2)にセットされる携帯機器(30)に押されて、スプリング線(3)の出力端子部(3a)をケース(1)の内部から装着部(2)に突出させて携帯機器(30)の電源端子(31)に接触させるリンク機構(4)とを備え、
前記ケース(1)は、装着部(2)の外側に沿って、内部に収納部(11)を設けてなる凸条(10)を備え、この凸条(10)の収納部(11)に一対のスプリング線(3)を配設しており、さらに凸条(10)は、装着部(2)と対向する内側壁(12)に、スプリング線(3)の出力端子部(3a)を装着部(2)に突出させる端子窓(13)を開口しており、
前記スプリング線(3)は、弾性金属線の中間部をコイル状に巻いてコイル部(3C)として、このコイル部(3C)から第１アーム(3A)を外側に伸びるように設けて、第１アーム(3A)の端部に出力端子部(3a)を設けており、さらに、一対のスプリング線(3)は、第１アーム(3A)の先端を互いに接近させる配置であって、第１アーム(3A)を装着部(2)の底面(2A)と平行な面内で回動させて、出力端子部(3a)を装着部(2)に突出させるように、装着部(2)の底面(2A)と直交する方向に伸びる連結ロッド(16)にコイル部(3C)を挿入してケース(1)に連結しており、
さらに前記リンク機構(4)は、出力端子部(3a)の出入り方向に往復運動できるようにケース(1)に内蔵されて、前記スプリング線(3)の第１アーム(3A)の端部に連結されて、出力端子部(3a)を装着部(2)に出入りさせる往復運動体(5)と、装着部(2)に突出する突出部(6A)を有し、装着部(2)にセットされる携帯機器(30)に突出部(6A)が押し込まれて往復運動体(5)を往復運動させる検出体(6)と、前記スプリング線(3)を変形させて、出力端子部(3a)を装着部(2)の内側に配置して、検出体(6)を装着部(2)に突出させるように、往復運動体(5)又は検出体(6)に弾性力を作用させる弾性体(7)とを備え、
装着部(2)に携帯機器(30)がセットされない状態では、弾性体(7)の弾性力が出力端子部(3a)を凸条(10)内に配置されて、検出体(6)の突出部(6A)を装着部(2)に突出し、装着部(2)に携帯機器(30)がセットされると、携帯機器(30)が検出体(6)の突出部(6A)をケース(1)内に押し込む方向に移動し、突出部(6A)がケース(1)内に移動される検出体(6)が往復運動体(5)を移動させて、スプリング線(3)の出力端子部(3a)を装着部(2)に突出させて、携帯機器(30)の電源端子(31)に接続するようにしてなる充電台。
【請求項２】
前記検出体(6)が、突出部(6A)を装着部(2)に出入りさせるようにケース(1)に往復運動できるように配置され、装着部(2)にセットされる携帯機器(30)でもって、突出部(6A)を装着部(2)からケース(1)内に押し込むように移動して、往復運動体(5)を移動させてスプリング線(3)の出力端子部(3a)を装着部(2)に突出させるようにしてなる請求項１に記載される充電台。
【請求項３】
前記検出体(6)が、突出部(6A)を装着部(2)の底面(2A)から装着部(2)に突出するようにケース(1)に連結されてなる請求項２に記載される充電台。
【請求項４】
前記検出体(6)が、突出部(6A)を装着部(2)に出入りさせるようにケース(1)に回動自在に配置され、装着部(2)にセットされる携帯機器(30)でもって、突出部(6A)を装着部(2)からケース(1)内に押し込むように移動して、往復運動体(5)を移動させてスプリング線(3)の出力端子部(3a)を装着部(2)に突出させるようにしてなる請求項１に記載される充電台。
【請求項５】
前記検出体(6)が、突出部(6A)を凸条(10)の内部から装着部(2)に突出するようにケース(1)に連結してなる請求項４に記載される充電台。
【請求項６】
一対のスプリング線(3)が、出力端子部(3a)を互いに接近させるように線対称に配置してなる請求項１に記載される充電台。
【発明の詳細な説明】
【技術分野】
【０００１】
本発明は、主として携帯電話などの携帯機器をセットして充電する充電台に関する。
【背景技術】
【０００２】
充電台は、装着される携帯機器の電源端子に接触される正負の出力端子部を備えている。正負の出力端子部に金属が接触してショートすると、大きなショート電流が流れる。また、正負の出力端子部の電圧が高い場合には、濡れた手で接触すると感電する可能性もある。また、電圧が低い場合でも、長時間接触すると低温やけどを被るおそれがある。この弊害を解消するために、携帯機器を装着しない状態では、出力端子部をケース内に収納する充電台が開発されている（特許文献１参照）。
【特許文献１】特開２００３−１６９１２１号公報
【発明の開示】
【発明が解決しようとする課題】
【０００３】
この公報に記載される充電台を図１ないし図５に示す。これらの図に示す充電台は、携帯機器９０を嵌合して装着する凹状の装着部８２を有するケース８１と、この装着部８２にセットされる携帯機器９０の電源端子９１に接触される出力端子部８３ａを有するスプリング線８３と、装着部８２に携帯機器９０が装着されたことを検知してスプリング線８３の出力端子部８３ａを装着部８２に突出させて、電源端子９１に接触させる傾動体８４とを備える。スプリング線８３は、コイル部８３Ｃから外側に伸びる第１アーム８３Ａの先端を山形に折曲して出力端子部８３ａを設けている。一対のスプリング線８３は、コイル部８３Ｃを直線上に配置して、第１アーム８３Ａを平行に配置してその先端の出力端子部８３ａを装着部８２に突出させる。傾動体８４は、ケース８１内に傾動できるように連結されて、スプリング線８３の第１アーム８３Ａが装着部８２に突出するのを阻止するコントロールアーム８５を有する。この充電台は、装着部８２に携帯機器９０がセットされない状態では、傾動体８４のコントロールアーム８５が第１アーム８３Ａの弾性力による移動を阻止して、出力端子部８３ａを装着部８２に突出させない。装着部８２に携帯機器９０がセットされると、携帯機器９０が傾動体８４を傾動して、コントロールアーム８５を移動させる。移動するコントロールアーム８５は、スプリング線８３の出力端子部８３ａを装着部８２に突出させる。
【０００４】
この充電台は、薄い携帯機器の電源端子に好ましい状態で出力端子部を接触できない。それは、山形に折曲している一対の出力端子部が、携帯機器の厚さ方向の平面に位置するからである。このスプリング線は、コイル部から外側に伸びる第１アーム８３Ａが傾動して、出力端子を携帯機器の電源端子に接触させるとき、出力端子部を携帯機器の厚さ方向に移動させる。このため、出力端子部を接触させる電源端子は、携帯機器の厚さ方向に所定の幅とする必要がある。図６に示すように、携帯機器３０が薄くなると、電源端子３１の厚さ方向の幅（Ｗ）を広くするのが難しい。電源端子３１は、厚さ方向の幅（Ｗ）に対して、これと直交する長さ（Ｌ）、すなわち携帯機器側面の長手方向の幅（Ｌ）を長くすることができる。この方向に長い電源端子３１に接触する出力端子部は、装着部の底面と平行な面内、すなわち水平面内で第１アームを傾動させて、電源端子に好ましい状態で接触できる。
【０００５】
第１アーム８３Ａを水平面内で傾動させるスプリング線は、装着部の側面に設けている凸条に収納して、出力端子部を携帯機器側面に電源端子に接触できる。ところが、装着部の側面に凸条を設けてここにスプリング線を収納する構造は、（平面視、上面視において）凸条の幅を狭くするのが難しい。凸条の幅が広くなると、デザインをよくできないことに加えて、外形が大きくなる欠点がある。
【０００６】
本発明は、さらにこの欠点を解決することを目的に開発されたものである。本発明の重要な目的は、凸条の幅を狭くしながら、スプリング線の出力端子部を携帯機器の電源端子に好ましい状態で接触できる充電台を提供することにある。
【課題を解決するための手段及び発明の効果】
【０００７】
本発明の充電台は、携帯機器３０を脱着自在にセットする装着部２を有するケース１と、このケース１の装着部２にセットされる携帯機器３０の電源端子３１に接触される出力端子部３ａを有する一対のスプリング線３と、装着部２にセットされる携帯機器３０に押されて、スプリング線３の出力端子部３ａをケース１の内部から装着部２に突出させて携帯機器３０の電源端子３１に接触させるリンク機構４とを備える。ケース１は、装着部２の外側に沿って、内部に収納部１１のある凸条１０を備え、この凸条１０の収納部１１に一対のスプリング線３を配設している。さらに凸条１０は、装着部２と対向する内側壁１２に、スプリング線３の出力端子部３ａを装着部２に突出させる端子窓１３を開口している。スプリング線３は、弾性金属線の中間部をコイル状に巻いてコイル部３Ｃとして、このコイル部３Ｃから第１アーム３Ａを外側に伸びるように設けて、第１アーム３Ａの端部に出力端子部３ａを設けている。一対のスプリング線３は、第１アーム３Ａの先端を互いに接近させる配置であって、第１アーム３Ａを装着部２の底面２Ａと平行な面内で回動させて、出力端子部３ａを装着部２に突出させるように、装着部２の底面２Ａと直交する方向に伸びる連結ロッド１６にコイル部３Ｃを挿入してケース１に連結している。リンク機構４は、スプリング線３の出力端子部３ａを装着部２に突出させる往復運動体５と、この往復運動体５に連結している検出体６と、弾性体７とを備える。往復運動体５は、出力端子部３ａの出入り方向に往復運動できるようにケース１に内蔵されて、スプリング線３の第１アーム３Ａの端部に連結されて、出力端子部３ａを装着部２に出入りさせる。検出体６は、装着部２に突出する突出部６Ａを有し、装着部２にセットされる携帯機器３０に突出部６Ａが押し込まれて往復運動体５を往復運動させる。弾性体７は、スプリング線３を変形させて、出力端子部３ａを装着部２の内側に配置して、検出体６を装着部２に突出させるように、往復運動体５又は検出体６に弾性力を作用させる。充電台は、装着部２に携帯機器３０がセットされない状態では、弾性体７の弾性力が出力端子部３ａを凸条１０内に配置して、検出体６の突出部６Ａを装着部２に突出させる。装着部２に携帯機器３０がセットされると、携帯機器３０が検出体６の突出部６Ａをケース１内に押し込む方向に移動し、突出部６Ａがケース１内に移動される検出体６が往復運動体５を移動させて、スプリング線３の出力端子部３ａを装着部２に突出させて、携帯機器３０の電源端子３１に接続させる。
【０００８】
以上の充電台は、凸条の幅を狭くしながら、スプリング線の出力端子部を携帯機器の電源端子に好ましい状態で接触できる特徴がある。凸条の幅を狭くできるのは、スプリング線を凸条の収納部に配置して、スプリング線の第１アームの端部に往復運動体を連結して、この往復運動体で、出力端子部を装着部に突出させるからである。また、スプリング線の第１アームを、装着部の底面と平行な水平面内で傾動させて出力端子を装着部に突出させることから、薄い携帯機器の電源端子に好ましい状態で接触できる。
【０００９】
さらに、以上の充電台は、第１アームを装着部の底面と平行な面内で傾動して出力端子部を電源端子に接触させることから、出力端子部と電源端子との接触不良を解消して理想的な状態で電気接続できる。それは、図１３に示すように、第１アーム３Ａが傾動して携帯機器３０の電源端子３１に向かって突出されるとき、図１３の矢印Ａで示すように、出力端子部３ａの間隔が互いに変化するように移動するからである。互いに相対間隔を変化させながら電源端子３１に押しつけられる出力端子部３ａは、電源端子３１の表面を擦って電源端子３１の接触表面をセルフクリーニングする。したがって、出力端子部３ａが電源端子３１に押しつけられる毎に、両者の接触部分が綺麗にセルフクリーニングされて、接触不良が解消される。また、一対の第１アームの端部に往復運動体を連結していることから、一対の出力端子部は常にバランスよく携帯機器の電源端子に押圧される。それは、一対の第１アームが、互いにバランスよく連動して、一対の出力端子部を電源端子に押圧するからである。このため、以上の充電台は、長期間にわたって出力端子部を電源端子に好ましい状態で安定に接触させて、携帯機器に内蔵する電池を確実に充電することができる。
【００１０】
さらに、以上の充電台は、一対のスプリング線に直接に往復運動体を連結する簡単な機構とすることから、装着部にセットされる携帯機器でもって、スプリング線の第１アームを長期間にわたって安定して確実に傾動させて、好ましい状態で出力端子部を電源端子に接触できる特徴もある。また、一対のスプリング線の両方の端部を連結部として往復運動体と連動、連結させて移動させることができるので、往復運動体の構造を簡易なものとすることができる。
【００１１】
本発明の充電台は、検出体６を、突出部６Ａを装着部２に出入りさせるようにケース１に往復運動できるように配置して、装着部２にセットされる携帯機器３０でもって、突出部６Ａを装着部２からケース１内に押し込むように移動して、往復運動体５を移動させてスプリング線３の出力端子部３ａを装着部２に突出させることができる。さらに、本発明の充電台は、検出体６の突出部６Ａを、装着部２の底面２Ａから装着部２に突出するようにケース１に連結することができる。
【００１２】
本発明の充電台は、検出体６を、突出部６Ａを装着部２に出入りさせるようにケース１に回動自在に配置して、装着部２にセットされる携帯機器３０でもって、突出部６Ａを装着部２からケース１内に押し込むように移動して、往復運動体５を移動させてスプリング線３の出力端子部３ａを装着部２に突出させることができる。さらに、本発明の充電台は、検出体６の突出部６Ａを、凸条１０の内部から装着部２に突出するようにケース１に連結することができる。
【００１３】
本発明の充電台は、一対のスプリング線３を、出力端子部３ａを互いに接近させるように線対称に配置することができる。
【発明を実施するための最良の形態】
【００１４】
以下、本発明の実施例を図面に基づいて説明する。ただし、以下に示す実施例は、本発明の技術思想を具体化するための充電台を例示するものであって、本発明は充電台を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図７ないし図２０に示す充電台は、充電できる電池を内蔵する携帯機器３０を脱着できるように装着して、内蔵している電池を充電する。携帯機器３０は携帯電話である。図７ないし図１５は、第１実施例の充電台を、図１６ないし図２０は、第２実施例の充電台を示している。ただ、本発明は、内蔵する電池を充電する携帯機器を特定するものでなく、たとえば、ＭＤやＣＤの再生または録音再生機、デジタル携帯機器、ゲーム機等二次電池を内蔵している全ての携帯機器とすることができる。
【００１７】
充電台は、充電できる電池を内蔵する携帯機器３０を嵌合状態で脱着できるように装着する装着部２を有するケース１と、このケース１内に設けられて、装着部２にセットされる携帯機器３０の電源端子３１に接触される出力端子部３ａを有する一対のスプリング線３と、携帯機器３０が装着部２にセットされるとスプリング線３の出力端子部３ａを装着部２に突出し、携帯機器３０が装着されない状態では出力端子部３ａをケース１内に収納するリンク機構４とを備える。
【００１８】
さらに、充電台は、外部に設けている充電回路（図示せず）にリード線を介して接続される。ただし、充電台は、ケースに充電回路を内蔵することもできる。
【００１９】
図７、図８、及び図１６に示す充電台は、ケース１の前面に装着部２を設けている。前面に装着部２を設けている充電台は、携帯電話の充電に適している。携帯電話を充電しながら、ワンセグなどのモニタ画面を見ることができるからである。ケース１は、携帯機器３０を後方に傾斜する姿勢でセットできるように、背面に水平台９を連結している。水平台９は、図９に示すように、ケース１の底面と背面に脱着自在に連結されて、ケース１の背面に突出して携帯機器３０を傾斜姿勢で装着部２にセットして、ケース１が後方に転倒するのを防止する。図の充電台は、携帯電話を立てる姿勢で装着部２にセットしているが、横に倒して、携帯電話を横の姿勢で充電することもできる。
【００２０】
ケース１は、装着部２の外側に沿って、内部に収納部１１を設けてなる凸条１０を設けている。図のケース１は、装着部２の両側に凸条１０Ａ、１０Ｂを設けて、一方の凸条１０Ａ、図において装着部２の右側の凸条１０Ａには、内部に収納部１１を設けている。装着部２は、両側の凸条１０Ａ、１０Ｂの間に携帯機器３０を嵌着して、定位置にセットする。したがって、両側の凸条１０Ａ、１０Ｂの内側間隔は、携帯機器３０の横幅にほぼ等しく、正確にはわずかに大きくしている。さらに、ケース１は、装着部２の下縁に沿って低い凸条１０Ｃを設けている。以上の装着部２は、両側に設けている一対の凸条１０Ａ、１０Ｂと下縁の凸条１０Ｃの内側に携帯機器３０を嵌着して定位置にセットする。
【００２１】
さらに、図のケース１は、一方の凸条１０Ａにスプリング線３を収納して、他方の凸条１０Ｂには、装着部２にセットした携帯機器３０を抜けないように引っかけて係止する係止フック２０を設けている。係止フック２０は、装着部２に突出する引掛部２０Ａを先端部に設けて、後端部を傾動できるようにケース１に連結している。この係止フック２０は、コイルバネからなる押出バネ２１でもって、先端の引掛部２０Ａを装着部２に弾性的に突出させている。スプリング線３を収納している凸条１０Ａの下部には、内面に突出するように係止凸部１４を設けている。この構造の装着部２は、装着部２にセットされる携帯機器３０の片側を係止凸部１４で係止して、他の片側を係止フック２０で係止して、携帯機器３０を装着部２の定位置にセットして保持する。
【００２２】
ケース１は、後方を開口している第１ケース１Ａと、この第１ケース１Ａの後方開口部を閉塞している第２ケース１Ｂとからなる。第１ケース１Ａと第２ケース１Ｂは、プラスチックを成形して製作される。第１ケース１Ａの前面に一対の凸条１０を設けて、凸条１０の内側を装着部２としている。第１ケース１Ａは、一方の凸条１０Ａの内部に設けている収納部１１に、スプリング線３を配設している。スプリング線３を内蔵する凸条１０Ａは、装着部２と対向する内側壁１２に、スプリング線３の出力端子部３ａを装着部２に突出させる端子窓１３を開口している。装着部２の底面２Ａには、凸条１０Ａに内蔵しているスプリング線３の出力端子部３ａを外部に突出させる突出部６Ａを突出させる貫通孔１５を設けている。図のケース１は、端子窓１３と貫通孔１５をふたつずつ設けている。ふたつの端子窓１３は、正負の出力端子部３ａを装着部２に突出させる。また、ふたつの貫通孔１５は、検出体６に設けている一対の突出部６Ａを装着部２に突出させる。
【００２３】
図１６ないし図１９に示す充電台は、凸条１０Ａの内側壁１２に、一対の端子窓１３と、検出体６の突出部６Ａを突出させる貫通孔１５とを設けて、出力端子部３ａと検出体６の突出部６Ａの両方を凸条１０Ａの内側に突出させる。
【００２４】
さらに、ケース１は、図１３、図１８、及び図１９に示すように、スプリング線３を凸条１０Ａの収納部１１に配設するために、連結ロッド１６を一体的に成形して設けている。図の充電台は、第１ケース１Ａに一体的に成形して一対の連結ロッド１６を設けている。連結ロッド１６は、装着部２の底面２Ａと直交する方向に伸びるロッド状であって、スプリング線３のコイル部３Ｃに挿入できる外形に成形している。一対の連結ロッド１６に挿入してケース１に連結される一対のスプリング線３は、凸条１０Ａの収納部１１に配設されて、第１アーム３Ａを装着部２の底面２Ａと平行な面内で回動させて、出力端子部３ａを装着部２に突出させる。一対の連結ロッド１６は、一対のスプリング線３の出力端子部３ａが互いに接近する姿勢であって、一対の出力端子部３ａを所定の間隔離して線対称に配置するように、ケース１に一体的に成形して設けられる。したがって、一対の連結ロッド１６の間隔は、一対の第１アーム３Ａの全長と一対の出力端子部３ａの間隔との和に等しい間隔とされる。スプリング線３は、コイル部３Ｃに連結ロッド１６を挿入して、凸条１０Ａの収納部１１に配設される。したがって、連結ロッド１６は、スプリング線３を凸条１０Ａの収納部１１に配設できる位置に設けられる。
【００２５】
さらに、図１０ないし図１３に示すケース１は、往復運動体５と検出体６を所定の位置で往復運動できるように支持するガイドリブ１７、１８を内面に突出するように一体的に成形して設けている。また、図１７のケース１は、検出体６を回動できるように連結する回転軸２３を第１ケース１Ａに一体的に成形して設けている。
【００２６】
スプリング線３は、導電性があって弾性のある弾性金属線で、この弾性金属線の中間部をコイル状に巻いてコイル部３Ｃとし、このコイル部３Ｃから第１アーム３Ａと第２アーム３Ｂとを外側に伸びる形状としている。第１アーム３Ａの端部に出力端子部３ａを設けて、第２アーム３Ｂをケース１に連結している。第１アーム３Ａは、端部を山形に折曲加工して出力端子部３ａとしている。山形の出力端子部３ａは、頂上部分を凸条１０Ａの端子窓１３から装着部２に突出させて、携帯機器３０の電源端子３１に接触させる。スプリング線３は、螺旋状に巻いたコイル部３Ｃを連結ロッド１６に挿入して、凸条１０Ａの収納部１１に配設される。また、スプリング線３については、第２アーム３Ｂをケース１に連結しているが、これに代わって、第２アーム３Ｂを無くして、コイル部３Ｃの金属線の端部を曲げて、ケース１の連結ロッド１６に係止する等の構造を、適宜、採用することができる。
【００２７】
スプリング線３は、それ自体の弾性で出力端子部３ａを装着部２に弾性的に突出させる。このスプリング線３は、第１アーム３Ａの先端に往復運動体５に連結する連結部３ｂを設けている。図１０と図１４のスプリング線３は、第１アーム３Ａの先端を折曲して連結部３ｂとしている。連結部３ｂは、往復運動体５に引っかけて連結される。このスプリング線３は、往復運動体５で連結部３ｂを引っ張って、出力端子部３ａを凸条１０Ａの内部に収納する。
【００２８】
一対の出力端子部３ａは、装着部２に突出するときに、コイル部３Ｃを中心とする円弧状の軌跡を移動して、携帯機器３０の電源端子３１に押圧されて、接触部をセルフクリーニングする。山形に折曲加工している出力端子部３ａは、山形の折曲加工部を含む面内で円弧状の軌跡を移動して、電源端子３１に接触される。この出力端子部３ａは、電源端子３１に押しつけられる状態で、図１３の矢印Ａで示すように、接触面を含む面内に相対移動して、接触部をセルフクリーニングする。一対のスプリング線３は、リード線２２を介して充電回路に接続されて、出力端子部３ａを接触させる携帯機器３０の電源端子３１に充電電流を供給する。
【００２９】
スプリング線３の出力端子部３ａは、リンク機構４で装着部２にセットされる携帯機器３０の電源端子３１に接触される。リンク機構４は、スプリング線３に連結している往復運動体５と、この往復運動体５に連結されて携帯機器３０の装着を検出して往復運動体５を往復運動させる検出体６と、携帯機器３０が装着されない状態で、スプリング線３の出力端子部３ａをケース１内に収納する弾性体７とを備える。
【００３０】
往復運動体５は、第１ケース１Ａの背面に配設されて、スプリング線３の出力端子部３ａの出入り方向、すなわち装着部２の底面２Ａに平行な面内に往復運動できるようにケース１に内蔵される。図１０の充電台は、第２ケース１Ｂに、往復運動体５を往復運動自在に連結するガイドリブ１７を設けて、往復運動体５を第２ケース１Ｂに連結している。往復運動体５は、スプリング線３の第１アーム３Ａの端部に設けている連結部３ｂに連結して、出力端子部３ａを装着部２に出入りさせる。図１０ないし図１５の往復運動体５は、スプリング線３の連結部３ｂを連結する係止部として係止プレート５Ａを設けている。往復運動体５は、絶縁材のプラスチックで成形される。したがって、係止部である係止プレート５Ａにスプリング線３の連結部３ｂを連結して、一対のスプリング線３に絶縁状態で連結される。
【００３１】
往復運動体５は、出力端子部３ａを凸条１０Ａに収納する方向に移動させる弾性体７を内蔵している。弾性体７は、コイルスプリングからなる押しバネである。図１１ないし図１５の往復運動体５は、弾性体７を収納するために一対の平行リブ５Ｂを設けている。一対の平行リブ５Ｂは、往復運動体５の中間部に設けられて、その間に弾性体７のコイルスプリングを収納している。平行リブ５Ｂは、往復運動体５の往復運動方向に設けられる。平行リブ５Ｂの内側にコイルスプリングの弾性体７を配置するために、平行リブ５Ｂの端部には、コイルスプリングの一端に挿入される位置決め凸部５Ｃを設けている。コイルスプリングの弾性体７は、一端を位置決め凸部５Ｃに案内して定位置に配置される。さらにコイルスプリングの他端は、第２ケース１Ｂに一体的に成形している支持リブ１９に連結される。一端を支持リブ１９に連結している押しバネの弾性体７は、往復運動体５を弾性的に押圧して、連結しているスプリング線３の出力端子部３ａを凸条１０Ａ内に収納する。したがって、弾性体７が往復運動体５を押圧する弾性力は、スプリング線３が出力端子部３ａを装着部２に突出させる弾性力よりも強い。携帯機器３０が装着部２にセットされない状態では、弾性体７が往復運動体５を押圧し、往復運動体５がスプリング線３の連結部３ｂを押圧して、出力端子部３ａを凸条１０Ａ内に収納する。往復運動体５は、検出体６で押されて、出力端子部３ａを凸条１０Ａから装着部２に突出させる。
【００３２】
往復運動体５は、弾性体７に押されて、検出体６の突出部６Ａを装着部２の底面２Ａに突出させる摺動部５Ｄを有する。この摺動部５Ｄは、検出体６に設けている傾斜リブ６Ｂを摺動して、検出体６の突出部６Ａを装着部２の底面２Ａに突出させる。
【００３３】
図１１と図１２の充電台は、装着部２の底部に検出体６を往復運動できるように連結している。検出体６は、突出部６Ａが装着部２に出入りするように、すなわち装着部２の底面２Ａに対して垂直な方向に往復運動できるように第１ケース１Ａに連結される。第１ケース１Ａは、図１１ないし図１３に示すように、検出体６の外周を摺動させるガイドリブ１８を内面に突出して設けている。ガイドリブ１８は、検出体６の外周に沿う筒状で、内部に検出体６を案内して装着部２の内面に出入りできるように連結している。第１ケース１Ａは、このガイドリブ１８の内側に位置するように貫通孔１５を設けている。検出体６は、装着部２に突出する一対の突出部６Ａを有し、この突出部６Ａを第１ケース１に設けた貫通孔１５から装着部２に突出させる。検出体６は、往復運動体５に押されて、突出部６Ａを装着部２に突出させる傾斜リブ６Ｂを有する。図１４と図１５の検出体６は、互いに平行に２列の傾斜リブ６Ｂを一体的に成形して設けている。傾斜リブ６Ｂは、往復運動体５の摺動面５Ｄに押されて、突出部６Ａを装着部２に突出させる。したがって、傾斜リブ６Ｂは、検出体６の往復運動する方向に対して傾斜しており、かつ、弾性体７が往復運動体５を往復運動して、突出部６Ａを装着部２に突出させる方向に傾斜している。
【００３４】
図１６ないし図２０に示す充電台は、第１ケース１Ａに回動できるように連結している回動レバーを検出体６とする。この検出体６は、第１ケース１Ａの内面に突出して回転軸２３を一体的に成形して設けている。回転軸２３は、装着部２の底面２Ａに直交する姿勢にあって、検出体６を装着部２の底面２Ａを含む水平面内に回動して、突出部６Ａを装着部２に突出させる。この検出体６は、突出部６Ａを凸条１０Ａの内側面から装着部２に突出させて、装着部２にセットされる携帯機器３０で、突出部６Ａを凸条１０Ａ内に押し込むように、第１ケース１Ａの回転軸２３に連結している。さらに、検出体６は、図１７ないし図２０に示すように、突出部６Ａと反対側の端部を往復運動体５に連結している。検出体６と往復運動体５は、検出体６の回動運動を往復運動体５の直線往復運動に変換できる構造で連結している。図２０に示す検出体６は、突出部６Ａと反対側の端部である連結部６Ｃを、往復運動体５の下面に設けた連結溝５Ｅに挿入して互いに連結している。図の連結溝５Ｅは、連結部６Ｃを挿入する端部を拡開しており、ここに挿入される連結部６Ｃを、直線上を往復運動する往復運動体５に対して、検出体６の回動面内で傾動できるように連結している。この連結構造は、回転軸２３を中心として回動する検出体６と、ケース１内を直線上で往復運動する往復運動体５とを、極めて簡単な構造で、しかも確実に連動できる。ただ、検出体と往復運動体は、回動運動と直線往復運動とを互いに変換できる他の全ての構造で連結することができる。
【００３５】
検出体６は、往復運動体５の弾性体７で突出部６Ａを装着部２に押し出している。往復運動体５の弾性体７は、検出体６の突出部６Ａを装着部２に突出させて、出力端子部３ａを装着部２から凸条１０Ａ内に収納するように、往復運動体５を往復運動させて、検出体６を水平面内で回動させる。この充電台は、装着部２に携帯機器３０をセットしない状態で、出力端子部３ａを凸条１０Ａの内部に収納して、突出部６Ａを装着部２に突出させるように、往復運動体５を移動して、検出体６を回動させる。装着部２に携帯機器３０がセットされると、携帯機器３０が突出部６Ａを凸条１０Ａ内に押し込むように検出体６を回動させる。回動する検出体６は、往復運動体５を、出力端子部３ａを装着部２に突出させる方向に移動させる。
【００３６】
以上の充電台は、装着部２に携帯機器３０が装着されない状態では、検出体６の突出部６Ａが装着部２に突出されて、往復運動体５がスプリング線３の出力端子部３ａをケース１内の引き込み位置とする。装着部２に携帯機器３０が装着されて、検出体６の突出部６Ａがケース１内に押し込まれると、係止フック２０でセット位置に保持される。この状態で、検出体６が移動し、検出体６が往復運動体５を移動して、スプリング線３の出力端子部３ａを携帯機器３０の電源端子３１に接触するようにケース１の装着部２に突出させる。出力端子部３ａが電源端子３１に接触する状態で、スプリング線３から携帯機器３０に電力が供給されて、携帯機器３０の電池が充電される。
【図面の簡単な説明】
【００３７】
【図１】従来の充電台の装着部を示す斜視図である。
【図２】図１に示す充電台の装着部に出力端子部が突出する状態を示す斜視図である。
【図３】図１に示す充電台の装着部に携帯機器を装着する状態を示す断面図である。
【図４】図１に示す充電台の装着部に携帯機器を装着する状態を示す断面図である。
【図５】図１に示す充電台の装着部に携帯機器を装着した状態を示す断面図である。
【図６】携帯機器の一例を示す斜視図である。
【図７】本発明の第１実施例にかかる充電台の斜視図である。
【図８】図７に示す充電台を反対側から見た斜視図である。
【図９】図７に示す充電台の底面斜視図である。
【図１０】図７に示す充電台の内部構造を示す斜視図である。
【図１１】図７に示す充電台の装着部の断面図である。
【図１２】図１１に示す充電台の装着部に携帯機器を装着した状態を示す断面図である。
【図１３】図７に示す充電台の凸条の内部構造を示す断面図である。
【図１４】図７に示す充電台のリンク機構を示す分解斜視図である。
【図１５】図１４に示すリンク機構の底面斜視図である。
【図１６】本発明の第２実施例にかかる充電台の斜視図である。
【図１７】図１６に示す充電台の内部構造を示す断面斜視図である。
【図１８】図１６に示す充電台の凸条の内部構造を示す断面図である。
【図１９】図１８に示す充電台に携帯機器を装着する状態を示す断面図である。
【図２０】図１７に示す充電台のリンク機構を示す背面斜視図である。
【符号の説明】
【００３８】
１…ケース                    １Ａ…第１ケース
１Ｂ…第２ケース
２…装着部                    ２Ａ…底面
３…スプリング線              ３Ａ…第１アーム
３ａ…出力端子部
３ｂ…連結部
３Ｂ…第２アーム
３Ｃ…コイル部
４…リンク機構
５…往復運動体                ５Ａ…係止プレート
５Ｂ…平行リブ
５Ｃ…位置決め凸部
５Ｄ…摺動部
５Ｅ…連結溝
６…検出体                    ６Ａ…突出部
６Ｂ…傾斜リブ
６Ｃ…連結部
７…弾性体
９…水平台
１０…凸条                    １０Ａ…凸条
１０Ｂ…凸条
１０Ｃ…凸条
１１…収納部
１２…内側壁
１３…端子窓
１４…係止凸部
１５…貫通孔
１６…連結ロッド
１７…ガイドリブ
１８…ガイドリブ
１９…支持リブ
２０…係止フック              ２０Ａ…引掛部
２１…押出バネ
２２…リード線
２３…回転軸
３０…携帯機器
３１…電源端子
８１…ケース
８２…装着部
８３…スプリング線            ８３Ａ…第１アーム
８３ａ…出力端子部
８３Ｃ…コイル部
８４…傾動体
８５…コントロールアーム
９０…携帯機器
９１…電源端子
【図１】
2010011634.tif 000003
【図２】
2010011634.tif 000004
【図３】
2010011634.tif 000005
【図４】
2010011634.tif 000006
【図５】
2010011634.tif 000007
【図６】
2010011634.tif 000008
【図７】
2010011634.tif 000009
【図８】
2010011634.tif 000010
【図９】
2010011634.tif 000011
【図１０】
2010011634.tif 000012
【図１１】
2010011634.tif 000013
【図１２】
2010011634.tif 000014
【図１３】
2010011634.tif 000015
【図１４】
2010011634.tif 000016
【図１５】
2010011634.tif 000017
【図１６】
2010011634.tif 000018
【図１７】
2010011634.tif 000019
【図１８】
2010011634.tif 000020
【図１９】
2010011634.tif 000021
【図２０】
2010011634.tif 000022